(57)【要約】【課題】適切な書類の撮影データを取得する。【解決手段】第１の撮影部１２１によって書類３を撮影して生成された第１の画像データ１１ａを、取得する第１の取得手段２１と、第２の撮影部１２２によって書類３を撮影して生成され、第１の画像データ１１ａで撮影された書類３の少なくとも一部が重複する第２の画像データ１２ａを、取得する第２の取得手段２２と、第１の画像データ１１ａと第２の画像データ１２ａの重複部分のうち、背景色の多い背景エリアを特定し、特定されたエリアにおいて第１の画像データ１１ａと第２の画像データ１２ａとを結合して新たな画像データを生成する接合手段２４と、を備える。【選択図】      図１
2011151681.tif 000002
【特許請求の範囲】
【請求項１】
書類を撮影して生成された画像データを処理する情報処理装置であって、
書類を撮影して生成された第１の画像データを、取得して記憶装置に記憶する第１の取得手段と、
前記書類を撮影して生成され、前記第１の画像データで撮影された書類の一部が重複する第２の画像データを、取得して前記記憶装置に記憶する第２の取得手段と、
前記第１の画像データと前記第２の画像データとの重複部分のうち、背景色の多い背景エリアを特定し、特定された背景エリアにおいて前記第１の画像データと前記第２の画像データとを結合して新たな画像データを生成する接合手段
とを備えることを特徴とする情報処理装置。
【請求項２】
前記情報処理装置の筐体上に、前記書類が設置され、
前記筐体上に前記重複エリアの基準となるマーカが示されており、
前記第１の画像データおよび前記第２の画像データには、前記マーカも含まれ、
前記接合手段は、
前記第１の画像データと前記第２の画像データとから、それぞれマーカ位置を特定して前記重複部分を特定するとともに、前記重複部分を細分化して色調変化率の低い領域を前記背景色の多い背景エリアとして特定し、前記背景エリアにおいて、前記第１の画像データと、前記第２の画像データと、を結合して、前記新たな画像データを生成する
ことを特徴とする請求項１に記載の情報処理装置。
【請求項３】
撮影部と、
前記書類を反射して前記撮影部に入射するミラーとを備え、
前記撮影部は、前記ミラーから入射された書類を撮影する
ことを特徴とする請求項１に記載の情報処理装置。
【請求項４】
前記書類を撮影する第１の撮影部および第２の撮影部と、
前記第１の撮影部および前記第２の撮影部でそれぞれ撮影された撮影データから、前記第１の画像データおよび前記第２の画像データに変換する画像データ変換部
とをさらに備えること特徴とする請求項１に記載の情報処理装置。
【請求項５】
前記第１の画像データと前記第２の画像データとのそれぞれを、台形補正するとともに、前記第１の画像データと前記第２の画像データとの色調差を補正する補正手段
をさらに備えることを特徴とする請求項１に記載の情報処理装置。
【請求項６】
書類を撮影して生成された画像データを処理する情報処理プログラムであって、
コンピュータを、
書類を撮影して生成された第１の画像データを、取得して記憶装置に記憶する第１の取得手段と、
前記書類を撮影して生成され、前記第１の画像データで撮影された書類の一部が重複する第２の画像データを、取得して前記記憶装置に記憶する第２の取得手段と、
前記第１の画像データと前記第２の画像データの重複部分のうち、背景色の多い背景エリアを特定し、特定された背景エリアにおいて前記第１の画像データと前記第２の画像データとを結合して新たな画像データを生成する接合手段
として機能させることを特徴とする情報処理プログラム。
【請求項７】
書類を撮影して生成された画像データを処理する情報処理装置と、前記画像データを格納する情報格納装置と、を備える情報処理システムであって、
前記情報処理装置は、
書類を撮影して生成された第１の画像データを、取得して記憶装置に記憶する第１の取得手段と、
前記書類を撮影して生成され、前記第１の画像データで撮影された書類の一部が重複する第２の画像データを、取得して前記記憶装置に記憶する第２の取得手段と、
前記第１の画像データと前記第２の画像データの重複部分のうち、背景色の多い背景エリアを特定し、特定された背景エリアにおいて前記第１の画像データと前記第２の画像データとを結合して新たな画像データを生成する接合手段
とを備え、
前記情報格納装置は、
前記情報処理装置から前記新たな画像データを受信するデータ受信手段と、
前記新たな画像データが、格納するための条件を満たしているか否かを判定する判定手段と、
前記判定手段による判定結果を、前記情報処理装置に送信する結果送信手段と、
前記新たな画像データが条件を満たしている場合に、前記新たな画像データを格納する格納手段
とを備える
ことを特徴とする情報処理システム。
【請求項８】
書類を撮影して生成された画像データを処理する情報処理装置と、前記画像データを格納する情報格納装置と、を備える情報処理システムに用いられる情報処理方法であって、
前記情報処理装置が、書類を撮影して生成された第１の画像データを、取得して記憶装置に記憶する第１の取得ステップと、
前記情報処理装置が、前記書類を撮影して生成され、前記第１の画像データで撮影された書類の一部が重複する第２の画像データを、取得して前記記憶装置に記憶する第２の取得ステップと、
前記情報処理装置が、前記第１の画像データと前記第２の画像データの重複部分のうち、背景色の多い背景エリアを特定し、特定された背景エリアにおいて前記第１の画像データと前記第２の画像データとを結合して新たな画像データを生成する接合ステップと、
前記情報格納装置が、前記情報処理装置から前記新たな画像データを受信するデータ受信ステップと、
前記情報格納装置が、前記新たな画像データが、格納するための条件を満たしているか否かを判定する判定ステップと、
前記情報格納装置が、前記判定ステップによる判定結果を、前記情報処理装置に送信する結果送信ステップと、
前記情報格納装置が、前記新たな画像データが条件を満たしている場合に、前記新たな画像データを格納する格納ステップ
とを備えることを特徴とする情報処理方法。
【発明の詳細な説明】
【技術分野】
【０００１】
本発明は、書類を撮影して生成された画像データを処理する情報処理装置、情報処理プログラム、情報処理システムおよび情報処理方法に関する。
【背景技術】
【０００２】
近年の情報処理装置の発達に伴い、小型化および高性能化が著しい。これに伴い、保険会社などの営業担当者が、ノートパソコンを携行して顧客の元を訪れ、職務に当たる機会が増えている。
【０００３】
例えば、顧客が記入した申込書などの書類に基づいて、営業担当者が、携行したノートパソコンにデータを入力するとともに、その書類を撮影して電子データ化して、エビデンスデータとして保管する場合が考えられる。ここで、書類を撮影した電子データを保管する際、エビデンスデータとして保管することに顧客の同意を得るため、顧客の前で電子データ化して保管することが好ましい。また、文字の可読性などのエビデンスデータとしての画質を備えていることが、リアルタイムに確認できることが好ましい。
【０００４】
文字の可読性など、エビデンスデータに求められる条件を備えていることを、営業担当者がリアルタイムに確認するためには、客先で画像を取り込む必要がある。また、文字のそのように取得した画像の可読性を担保するために、常に一定のレベル以上の画質で撮影可能な仕組みが必要になる。
【０００５】
一方、２台のカメラを搭載したノートパソコンが知られている（例えば、特許文献１参照。）。この特許文献１に記載の情報機器は、段落番号［００７３］等に記載されるように、２台のカメラで撮影されたそれぞれの画像を用いて、ユーザの操作を測定することを目的としている。
【先行技術文献】
【特許文献】
【０００６】
【特許文献１】特開２００６−５３６７８号公報
【発明の概要】
【発明が解決しようとする課題】
【０００７】
しかし、従来の技術でエビデンスデータに求められる条件を備えた撮影データを取得することは、困難である。
【０００８】
例えば、手持ちのデジタルカメラなどで書類を撮影すると、デジタルカメラからノートパソコンに画像を取り込む手間が発生する。その間、顧客に待ち時間が発生してしまうため、客先など、短時間での作業が求められる場合には、適切ではない。また、手持ちのデジタルカメラで撮影する場合、Ａ４サイズの書類の全面に渡って可読性を備えるように撮影するのは困難である。また、撮影が可能であっても、その撮影には一定の習熟した技術が必要になると考えられ、全ての営業担当者にその技術を身につけさせるのが困難である。
【０００９】
そこで、誰でも容易に、エビデンスデータとしての条件を備えた画像を撮影できる仕組みが求められている。
【００１０】
従って本発明の目的は、適切な書類の撮影データを取得することのできる情報処理装置、情報処理プログラム、情報処理システムおよび情報処理方法を提供することである。
【課題を解決するための手段】
【００１１】
上記課題を解決するために、本発明の第１の特徴は、書類を撮影して生成された画像データを処理する情報処理装置に関する。即ち本発明の第１の特徴に係る情報処理装置は、書類を撮影して生成された第１の画像データを、取得して記憶装置に記憶する第１の取得手段と、書類を撮影して生成され、第１の画像データで撮影された書類の一部が重複する第２の画像データを、取得して記憶装置に記憶する第２の取得手段と、第１の画像データと第２の画像データとの重複部分のうち、背景色の多い背景エリアを特定し、特定された背景エリアにおいて第１の画像データと第２の画像データとを結合して新たな画像データを生成する接合手段とを備える。
【００１２】
ここで、情報処理装置の筐体上に、書類が設置され、筐体上に重複エリアの基準となるマーカが示されており、第１の画像データおよび第２の画像データには、マーカも含まれても良い。この場合、接合手段は、第１の画像データと第２の画像データとから、それぞれマーカ位置を特定して重複部分を特定するとともに、重複部分を細分化して色調変化率の低い領域を背景色の多い背景エリアとして特定し、背景エリアにおいて、第１の画像データと、第２の画像データと、を結合して、新たな画像データを生成する。
【００１３】
また、撮影部と、書類を反射して撮影部に入射するミラーとを備え、撮影部は、ミラーから入射された書類を撮影しても良い。
【００１４】
また、書類を撮影する第１の撮影部および第２の撮影部と、第１の撮影部および第２の撮影部でそれぞれ撮影された撮影データから、第１の画像データおよび第２の画像データに変換する画像データ変換部とをさらに備えても良い。
【００１５】
ここで、第１の画像データと第２の画像データとのそれぞれを、台形補正するとともに、第１の画像データと第２の画像データとの色調差を補正する補正手段をさらに備えても良い。
【００１６】
本発明の第２の特徴は、書類を撮影して生成された画像データを処理する情報処理プログラムに関する。即ち本発明の第２の特徴に係る情報処理プログラムは、コンピュータを、書類を撮影して生成された第１の画像データを、取得して記憶装置に記憶する第１の取得手段と、書類を撮影して生成され、第１の画像データで撮影された書類の一部が重複する第２の画像データを、取得して記憶装置に記憶する第２の取得手段と、第１の画像データと第２の画像データとの重複部分のうち、背景色の多い背景エリアを特定し、特定された背景エリアにおいて第１の画像データと第２の画像データとを結合して新たな画像データを生成する接合手段として機能させる。
【００１７】
本発明の第３の特徴は、書類を撮影して生成された画像データを処理する情報処理装置と、画像データを格納する情報格納装置と、を備える情報処理システムに関する。即ち本発明の第３の特徴に係る情報処理システムにおいて情報処理装置は、書類を撮影して生成された第１の画像データを、取得して記憶装置に記憶する第１の取得手段と、書類を撮影して生成され、第１の画像データで撮影された書類の一部が重複する第２の画像データを、取得して記憶装置に記憶する第２の取得手段と、第１の画像データと第２の画像データとの重複部分のうち、背景色の多い背景エリアを特定し、特定された背景エリアにおいて第１の画像データと第２の画像データとを結合して新たな画像データを生成する接合手段とを備える。情報格納装置は、情報処理装置から新たな画像データを受信するデータ受信手段と、新たな画像データが、格納するための条件を満たしているか否かを判定する判定手段と、判定手段による判定結果を、情報処理装置に送信する結果送信手段と、新たな画像データが条件を満たしている場合に、新たな画像データを格納する格納手段とを備える。
【００１８】
本発明の第４の特徴は、書類を撮影して生成された画像データを処理する情報処理装置と、画像データを格納する情報格納装置と、を備える情報処理システムに用いられる情報処理方法に関する。即ち本発明の第４の特徴に係る情報処理方法は、情報処理装置が、書類を撮影して生成された第１の画像データを、取得して記憶装置に記憶する第１の取得ステップと、情報処理装置が、書類を撮影して生成され、第１の画像データで撮影された書類の一部が重複する第２の画像データを、取得して記憶装置に記憶する第２の取得ステップと、情報処理装置が、第１の画像データと第２の画像データとの重複部分のうち、背景色の多い背景エリアを特定し、特定された背景エリアにおいて第１の画像データと第２の画像データとを結合して新たな画像データを生成する接合ステップと、情報格納装置が、情報処理装置から新たな画像データを受信するデータ受信ステップと、情報格納装置が、新たな画像データが、格納するための条件を満たしているか否かを判定する判定ステップと、情報格納装置が、判定ステップによる判定結果を、情報処理装置に送信する結果送信ステップと、情報格納装置が、新たな画像データが条件を満たしている場合に、新たな画像データを格納する格納ステップとを備える。
【発明の効果】
【００１９】
本発明によれば、適切な書類の撮影データを取得することのできる情報処理装置、情報処理プログラム、情報処理システムおよび情報処理方法を提供することができる。
【図面の簡単な説明】
【００２０】
【図１】本発明の実施の形態に係る情報処理装置が、書類を撮影する様子を正面から表した図である。
【図２】本発明の実施の形態に係る情報処理装置が、書類を撮影する様子を斜め方向から表した図である。
【図３】本発明の実施の形態に係る情報処理装置に、書類を配置した様子を真上から表した図である。
【図４】本発明の実施の形態に係る情報処理装置のハードウェア構成図である。
【図５】本発明の実施の形態に係る情報処理装置の機能ブロック図である。
【図６】本発明の実施の形態に係る情報処理装置における台形補正を説明する図である。
【図７】本発明の実施の形態に係る情報処理装置によって、撮影された画像を説明する図である。
【図８】本発明の実施の形態に係る情報処理装置によって、撮影された画像の補正を説明する図である。
【図９】本発明の実施の形態に係る情報処理装置において、画像データの接合を説明する拡大図である。
【図１０】本発明の実施の形態に係る情報処理装置において、画像データの接合を説明する図である。
【図１１】本発明の実施の形態に係る情報処理装置において、接合された画像データを説明する図である。
【図１２】本発明の実施の形態に係る情報処理装置における処理を説明するフローチャートである。
【図１３】本発明の実施の形態に係る情報格納装置の機能ブロック図である。
【図１４】本発明の実施の形態に係る情報格納装置における処理を説明するフローチャートである。
【図１５】本発明の第１の変形例に係る情報処理装置の撮影部を説明する図である。
【図１６】本発明の第２の変形例に係る情報処理装置の撮影部を説明する図である。
【図１７】本発明の第３の変形例に係る情報処理装置の撮影部を説明する図である。
【図１８】本発明の第４の変形例に係る情報処理装置を説明する図である。
【図１９】本発明の第５の変形例に係る情報処理装置が、書類を撮影する様子を正面から表した図である。
【図２０】本発明の第５の変形例に係る情報処理装置が、書類を撮影する様子を斜め方向から表した図である。
【図２１】本発明の第５の変形例に係る情報処理装置の機能ブロック図である。
【図２２】本発明の第５の変形例に係る情報処理装置を説明する図である。
【発明を実施するための形態】
【００２１】
次に、図面を参照して、本発明の実施の形態を説明する。以下の図面の記載において、同一または類似の部分には同一または類似の符号を付している。
【００２２】
（本発明の概要）
図１および図２を参照して、本発明の概要を説明する。本発明の実施の形態に係る情報処理装置１は、例えば、ノートパソコン等の可搬性を備える情報機器によって実現される。情報処理装置１において、ヒンジ部１５１を介して、キーボード１０４ａおよび表示部１０５が、開閉可能に接続されている。キーボード１０４ａは、本体部１５２上の面であって、情報処理装置１を開閉したときに内側に収納される面に設けられる。本体部１５２には、情報処理装置１のＣＰＵ、ハードディスク等が格納されている。
【００２３】
本発明の実施の形態に係る情報処理装置１は、書類３を撮影した複数の画像データを合成して、１枚の画像データを取得して保管する。情報処理装置１は、例えば図１に示すように、第１の撮影部１２１および第２の撮影部１２２を備えている。ノートパソコンを開いて使用可能な状態で、第１の撮影部１２１および第２の撮影部１２２は、表示部１０５の上部に設置される。一方、本発明の実施の形態に係る情報処理装置１が撮影する書類３は、ノートパソコンを開いて使用可能な状態で、キーボード１０４ａの上に設置される。
【００２４】
本発明の実施の形態において書類３は、例えばＡ４サイズであって、長辺を縦方向に、短辺を横方向にした状態で、文字が横書きで表示されている。情報処理装置１のヒンジ部１５１の方向に長辺が来るように、キーボード１０４ａ上に書類が配置される。
【００２５】
第１の撮影部１２１および第２の撮影部１２２は、この書類３をそれぞれ異なる角度で撮影する。図１に示す例では、撮影部１２１は、表示部１０５の向かって左側に設置されているので、書類３の左側の第１の撮影エリア３０１ａを撮影する。一方撮影部１２２は、表示部１０５の向かって右側に設置されているので、書類３の右側の第２の撮影エリア３０１ｂを撮影する。このとき、第１の撮影エリア３０１ａと、第２の撮影エリア３００ｂとを合わせることにより、書類３の全てをカバーすることができることが好ましい。ここで、第１の撮影エリア３０１ａと、第２の撮影エリア３００ｂは、重複するエリアを有する。本発明の実施の形態に係る情報処理装置１は、この重複するエリアにおいて、各撮影エリアに対応する画像データを接合することができる。
【００２６】
ここで、本発明の実施の形態に係る第１の撮影部１２１ａにおいて、長方形をしており、その内部にＣＣＤ（Charge Coupled Device）が埋め込まれている。第１の撮影部１２１ａの長辺は、ヒンジ部１５１と平行に設置されている。また、第２の撮影部１２２ａにおいても、第１の撮影部１２１ａと同様の構成をしている。このような形状にすることにより、第１の撮影部１２１ａおよび第２の撮影部１２１ｂは、書類３の重複撮影エリア３１０を広く取って撮影することができる。また、書類３がヒンジ部１５１と平行の方向に長い場合でも撮影することができる。従って、このような構成を備える第１の撮影部１２１ａおよび第２の撮影部１２２ａは、Ａ４用紙の様に、書類３が長方形の場合に好適である。
【００２７】
図２に示すように、ノートパソコンのキーボード１０４ａと表示部１０５とが一定の角度を備えることにより、第１の撮影部１２１および第２の撮影部１２２は、キーボード１０４ａ上の書類を撮影することができる。
【００２８】
ここで図３を参照して、情報処理装置１の筐体に書類３が設置された状態を説明する。図３は、図１におけるキーボード１０４ａを上から見た図である。図３において、キーボード１０４ａの上部に書類３が設置されている。図２に示すような角度でディスプレイ１０５が設置され、キーボード１０４ａの上側、具体的には、キーボード１０４ａのヒンジ部１５１側の上方から、第１の撮影部１２１および第２の撮影部１２２が、書類３を撮影する。書類３の左側の第１の撮影エリア３０１ａは、第１の撮影部１２１によって撮影されるエリアである。書類３の右側の第２の撮影エリア３０１ｂは、第２の撮影部１２２によって撮影されるエリアである。
【００２９】
ここで、書類３は、第１の撮影エリア３０１ａおよび第２の撮影エリア３０１ｂで重複して撮影されるエリアを含む重複撮影エリア３１０を備える。本発明の実施の形態においては、書類３の左側と右側をそれぞれ撮影する撮影部が設けられているので、重複撮影エリア３１０は、その書類３の中程に位置する。
【００３０】
図３に示すように、キーボード１０４ａには、接合確認マーカ３００および書類配置ガイド３０２が設けられている。
【００３１】
接合確認マーカ３００は、重複撮影エリア３１０と重なる位置を把握するために設けられる。接合確認マーカ３００は、キーボード１０４ａ上に書類３を設置した場合でも、ユーザが視認できることが好ましい。図３に示す例において接合確認マーカ３００は、キーボード１０４ａのヒンジ部１５１の中央部近辺に設けられている。第１の撮影部１２１および第２の撮影部１２１は、接合確認マーカ３００を含むように書類３を撮影する。接合確認マーカ３００は、後述する様に、情報処理装置１が第１の撮影部１２１および第２の撮影部１２２のそれぞれによって撮影された２つの画像データを接合する際に、用いられる。情報処理装置１は、２つの画像の接合確認マーカ３００を重ね合わせることによって、２つの画像データの接合位置を検出することができる。
【００３２】
書類配置ガイド３０２は、ユーザに、書類３の全体を撮影可能な位置に配置するように促すマークである。図３に示す例では、ユーザは、書類３の角を書類配置ガイド３０２に合わせるように、書類３をキーボード上に配置する。なお、図３に示す例では、キーボード１０４ａの左上にＬ字型の書類配置ガイド３０２を設けたが、この位置および形状には限られない。
【００３３】
接合確認マーカ３００および書類配置ガイド３０２は、キーボード１０４ａに直接印刷されても良いし、キーボード１０４ａを覆うキーボードカバー等に印刷されても良い。また、接合確認マーカ３００および書類配置ガイド３０２の上述した目的を達成できれば、どのような実現手段でも良い。
【００３４】
図１ないし図３においては、情報処理装置１が２つの撮影部を備え、キーボード１０４ａの上部に書類３を設置する場合について説明したが、この方法には限られない。例えば、情報処理装置１が備える撮影部は、１つでも３つ以上でも良い。また、情報処理装置１の筐体表面に接合確認マーカ３００および書類配置ガイド３０２は、撮影部によって書類３を撮影することができれば、キーボード１０４ａ以外に設けられても良い。例えば、情報処理装置１の筐体のいずれかに接合確認マーカ３００および書類配置ガイド３０２が設けられても良い。また、書類３の全体を撮影可能であれば、接合確認マーカ３００および書類配置ガイド３０２が設けられなくても良い。
【００３５】
（情報処理装置のハードウェア構成）
図５に示すように、本発明の実施の形態に係る情報処理装置１は、中央処理制御装置１０１、ＲＯＭ（Read Only Memory）１０２、ＲＡＭ（Random Access Memory）１０３、入出力インタフェース１０９および画像データ生成部１２３が、バス１１０を介して接続されている。入出力インタフェース１０９には、入力装置１０４、表示部１０５、通信制御装置１０６、記憶装置１０７およびリムーバブルディスク１０８が接続されている。画像データ生成部１２３には、第１の撮影部１２１および第２の撮影部が接続されている。
【００３６】
第１の撮影部１２１は、例えばＣＣＤであって、書類３からうけた光を電気信号に変換して、画像データ生成部１２３に入力する。
【００３７】
第１の撮影部１２１は、例えば、情報処理装置１に固定され、かつ内蔵されたＣＣＤである。例えば、第１の撮影部１２１は、情報処理装置１の筐体に埋め込まれ、図４に示すように、第１の撮影部１２１と中央処理制御装置１０１は、バス１１０を介して電気信号を送受信する。
【００３８】
また、第１の撮影部１２１は、例えば、情報処理装置１に固定可能であって、ＵＳＢポート等を解して接続可能なカメラであっても良い。ここで、「固定可能」とは、情報処理装置１と第１の撮影部１２１が別の筐体で構成されており、第１の撮影部１２１が、フックなどの接続部材によって取り外し可能な状態で情報処理装置１に固定できることを言う。この場合、第１の撮影部１２１は、ＵＳＢポートなどの外部インタフェース、インタフェース１０９およびバス１１０を介して、電気信号を送受信する。
【００３９】
第２の撮影部１２２は、第１の撮影部１２１と同様の構成を備える。
【００４０】
画像データ生成部１２３は、撮影部から受信した電気信号を画像データに変換して、バス１１０に送出する回路である。本発明の実施の形態に係る画像データ生成部１２３は、第１の撮影部１２１から受信した電気信号から第１の画像データを生成するとともに、第２の撮影部１２２から受信した電気信号から第２の画像データを生成する。画像データ生成部１２３は、例えば、時分割多重で第１の画像データおよび第２の画像データを生成しても良いし、第１の画像データを生成した後に第２の画像データを生成しても良い。図４に示す例では、情報処理装置１は１つの画像データ生成部１２３を有して２つのＣＣＤから受信した電気信号を処理しているが、撮影部の数に応じて複数の画像データ生成部を有しても良い。また、画像データ生成部１２３は、回路基盤により実装されても良いし、ソフトウェアプログラムによって実装されても良い。
【００４１】
中央処理制御装置１０１は、入力装置１０４からの入力信号に基づいてＲＯＭ１０２から情報処理装置１を起動するためのブートプログラムを読み出して実行し、さらに記憶装置１０７に記憶されたオペレーティングシステムを読み出す。さらに中央処理制御装置１０１は、入力装置１０４や通信制御装置１０６などの入力信号に基づいて、各種装置の制御を行ったり、ＲＡＭ１０３や記憶装置１０７などに記憶されたプログラムおよびデータを読み出してＲＡＭ１０３にロードするとともに、ＲＡＭ１０３から読み出されたプログラムのコマンドに基づいて、データの計算または加工など、後述する一連の処理を実現する処理装置である。
【００４２】
入力装置１０４は、操作者が各種の操作を入力するキーボード１０４ａ、マウス１０４ｂなどの入力デバイスにより構成されており、操作者の操作に基づいて入力信号を作成し、入出力インタフェース１０９およびバス１１０を介して中央処理制御装置１０１に送信される。表示部１０５は、例えば液晶ディスプレイである。表示部１０５は、中央処理制御装置１０１からバス１１０および入出力インタフェース１０９を介して表示部１０５において表示させる出力信号を受信し、例えば中央処理制御装置１０１の処理結果などを表示する。通信制御装置１０６は、ＬＡＮカードやモデムなどの装置であり、情報処理装置１をインターネットやＬＡＮなどの通信ネットワークに接続する装置である。通信制御装置１０６を介して通信ネットワークと送受信したデータは入力信号または出力信号として、入出力インタフェース１０９およびバス１１０を介して中央処理制御装置１０１に送受信される。
【００４３】
記憶装置１０７は半導体記憶装置や磁気ディスク装置であって、中央処理制御装置１０１で実行されるプログラムやデータが記憶されている。リムーバブルディスク１０８は、光ディスクやフレキシブルディスクのことであり、ディスクドライブによって読み書きされた信号は、入出力インタフェース１０９およびバス１１０を介して中央処理制御装置１０１に送受信される。
【００４４】
（情報処理装置の機能構成）
本発明の実施の形態において情報処理装置１は、複数の撮影部で撮影された画像データを接合して、情報格納装置２に送信する。情報格納装置２は、情報処理装置１から受信した画像データが、エビデンスデータとして適切な条件を備えているか否かを判断し、備えている場合に、その画像データを格納する。一方、備えていない場合、その旨を情報処理装置１に送信し、情報処理装置１は、ユーザに再度撮影する指示を画面に表示する。なお、図３に示す例では、情報格納装置２がエビデンスデータとしての条件を判断するとともに、その画像を格納する場合について説明するが、情報処理装置１が、情報格納装置２の機能を備えていても良い。この場合、情報処理装置１が、画像データをエビデンスデータとして保存するか否かを決定する。
【００４５】
本発明の実施の形態に係る情報処理装置１の記憶装置１０７には、情報処理プログラムが記憶されるとともに、図５に示すように、記憶装置１０７は、第１の画像データ記憶部１１、第２の画像データ記憶部１２、補正レベルデータ記憶部１３、接合データ記憶部１４および対象データ記憶部１５を備える。また、情報処理プログラムが情報処理装置１の中央処理制御装置１０１に読み込まれ実行されることによって、第１の取得手段２１、第２の取得手段２２、補正手段２３、接合手段２４、データ送信手段２５および結果表示手段２６が情報処理装置１に実装される。
【００４６】
第１の画像データ記憶部１１は、第１の撮影部１２１および画像データ変換部１２３によって生成された第１の画像データ１１ａが記憶された記憶領域である。第１の画像データ１１ａは、書類３の少なくとも一部と、接合確認マーカ３００を撮影した画像データである。
【００４７】
第２の画像データ記憶部１２は、第２の撮影部１２２および画像データ変換部１２３によって生成された第２の画像データ１２ａが記憶された記憶領域である。第２の画像データ１２ａは、書類３の少なくとも一部と、接合確認マーカ３００を撮影した画像データである。
【００４８】
第１の画像データ１１ａおよび第２の画像データ１２ａはともに、上述したように接合確認マーカ３００を含む重複撮影エリア３１０の画像データを含む。第１の画像データ１１ａで撮影されたエリアと、第２の画像データ１２ａで撮影されたエリアとを結合することで、書類３に表示された全ての必要事項が、含まれることが好ましい。第１の画像データ１１ａおよび第２の画像データ１２ａは、後述する補正手段２３によって補正された後、接合手段２４によって接合される。
【００４９】
補正レベルデータ記憶部１３は、補正手段２３が第１の画像データ１１ａおよび第２の画像データ１２ａを補正する際に、参酌されるデータが記憶された記憶領域である。補正レベルデータ１３ａは、例えば、台形補正をする際のパラメータ、色調補正をする際のパラメータ等である。図１ないし図３に示したような例で補正レベルデータ１３ａは、表示部１０５とキーボード１０４ａとの角度と、台形補正をするための補正値とが対応づけられたデータである。この角度によって、撮影エリアの形状が定まり、さらにその撮影エリアの形状を台形補正するための補正値が定まるからである。
【００５０】
接合データ記憶部１４は、接合データ１４ａが記憶された記憶領域である。接合データ１４ａは、接合手段２４が第１の画像データ１１ａおよび第２の画像データ１２ａとを接合した結果得られる画像のデータである。
【００５１】
対象データ記憶部１５は、接合データ１４ａに基づいて生成された画像データであって、情報格納装置２に送信する対象データ１５ａを記憶する記憶領域である。対象データ１５ａは、データ送信手段２５によって、情報格納装置２に送信される。
【００５２】
第１の取得手段２１は、第１の撮影部１２１によって撮影された電気信号に基づいて、画像データ変換部１２３で生成された第１の画像データ１１ａを取得して、第１の画像データ記憶部１１に記憶する。第２の取得手段２２は、第２の撮影部１２２によって撮影された電気信号に基づいて、画像データ変換部１２３で生成された第２の画像データ１２ａを取得して、第２の画像データ記憶部１２に記憶する。
【００５３】
補正手段２３は、第１の画像データ記憶部１１から第１の画像データ１１ａを読み出すとともに、第２の画像データ記憶部１２から第２の画像データ１２ａを読み出する。さらに補正手段２３は、読み出した第１の画像データ１１ａおよび第２の画像データ１２ａのそれぞれについて補正レベルデータ１３ａを参照して台形補正するとともに、第１の画像データ１１ａと第２の画像データ１２ａとの色調差を補正する。補正手段２３による補正処理は、必要に応じて実行されることが好ましい。
【００５４】
本発明の実施の形態において、ＣＣＤと書類３とが対向して設置できないので、補正手段２３は、画像データにおいて書類の形状が台形になって生じるずれを、台形補正で対応する。例えば、第１の画像データ１１ａおよび第２の画像データ１２ａを台形補正することなく接合すると、図６（ａ）に示すように、書類３が台形形状に表されてしまう。これを、補正手段２３は、図６（ｂ）に示すように矩形に補正する。
【００５５】
本発明の実施の形態においては、第１の撮影部１２１は書類３に対して斜め上方向から撮影するので、画像データ１１ａ中の書類３の位置３０２ａは、図７（ａ）に示すように、台形の形状になって現れてしまう。これを回避するために、補正手段２３は、第１の画像データ１１ａを台形補正をすることによって、図８（ａ）に示すように、書類３を真上から撮影したような画像データを得ることができる。同様に、画像データ１２ａ中の書類３の位置３０２ｂは、図７（ｂ）に示すように、台形の形状になって現れてしまうところ、補正手段２３は、第２の画像データ１２ａを台形補正をすることによって、図８（ｂ）に示すように、書類３を真上から撮影したような画像データを得ることができる。
【００５６】
ここで、図７（ａ）におけるエリア３０２ａおよび図８（ａ）におけるエリア３０３ａは、図１ないし図３における第１の撮影エリア３０１ａに対応する。同様に、図８（ａ）におけるエリア３０２ｂおよび図８（ｂ）におけるエリア３０３ｂは、図１ないし図３における第２の撮影エリア３０１ｂに対応する。
【００５７】
補正手段２３は、第１の画像データ１１ａと第２の画像データ１２ａとの接合で生じる色調差も補正する。例えば、照明の位置によっては、第１の撮影エリア３０１ａが明るく撮影され、第２の撮影エリア３０１ｂが暗く撮影される場合がある。このような画像データを補正することなく接合すると、１つの書類３の画像データ中に明るい部分と暗い部分とが含まれることになる。またこれにより、接合時の誤差を生じる場合もある。そこで補正手段２３は、第１の画像データ１１ａの明るさを下げるとともに第２の画像データ１２ａの明るさを上げることにより、第１の画像データ１１ａと第２の画像データ１２ａとの色調差をなくすように補正する。
【００５８】
なお、補正手段２３によって補正された後の画像データは、図８（ａ）および図８（ｂ）に示されるように、それぞれ接合確認マーカ３００ａおよび接合確認マーカ３００ｂが含まれている。
【００５９】
接合手段２４は、記憶装置１０７から、補正手段２３によって補正された後の第１の画像データ１１ａと第２の画像データ１２ａとを読み出す。接合手段２４は、第１の画像データ１１ａと第２の画像データ１２ａとの重複部分のうち、背景色の多いエリアを特定し、特定された背景エリアを基準に第１の画像データ１１ａと第２の画像データ１２ａとを結合して接合画像データ１４ａを生成し、接合データ記憶部１４に記憶する。ここで接合手段２４は、第１の画像データ１１ａと第２の画像データ１２ａとから、それぞれ接合確認マーカ３００の位置を特定して重複部分を特定する。さらに接合手段２４は、特定した重複部分を細分化して色調変化率の低い領域を背景色の多い背景エリアとして特定し、背景エリアにおいて、第１の画像データ１１ａと、第２の画像データ１２ａと、を結合して、接合データ１４ａを生成する。
【００６０】
接合手段２４は、第１の画像データ１１ａから接合確認マーカ３００ａ部分を特定するとともに、第２の画像データ１２ａから接合確認マーカ３００ｂ部分を特定する。接合手段２４は、各画像データで接合確認マーカ３００ａまたは３００ｂを含むエリアであって、第１の像データ１１ａおよび第２の画像データ１２ａに重複するエリアを重複撮影エリアとして特定する。
【００６１】
図９（ａ）は、重複撮影エリア３１０の一部を拡大して表示したものである。図９（ａ）に示した部分は、第１の画像データ１１ａおよび第２の画像データ１２ａの両方に含まれる。ここで、接合手段２４は、書類３の文字列に沿って細分化して、文字列の含まれていない、書類３における文字列の行間の背景エリアを抽出する。さらに接合手段２４は、この背景エリアにおいて、第１の画像データ１１ａと第２の画像データ１２ａとを結合して、新たな画像データを作成する。
【００６２】
例えば、図９（ｂ）に示すように、各画像データ中の重複撮影エリア３１０を、第１の画像データ１１ａと第２の画像データ１２ａの重複撮影エリア３１０側の辺に略平行に細分化する。ここで、略平行とは、書類３の短辺と平行のことを指す。重複撮影エリア３１０側の辺は、上記台形補正により書類３の短辺に対して若干傾斜するので、短辺の平行線に対してその傾斜分の誤差を有する。ここで細分化されたエリアをそれぞれ、エリア３１０ａ、３１０ｂおよび３１０ｃとする。
【００６３】
本発明の実施の形態において、書類３は、横書きで文字が表示されているので、文字の行間は、ヒンジ部１５１と垂直方向であって、重複撮影エリア３１０側の辺に略平行に現れる。従って、エリア３１０ａおよびエリア３１０ｂには、横書きの文字が含まれる一方、エリア３１０ｂのように、行間となって文字の現れない背景エリアがある。従って、接合手段２４は、各エリアの色調を取得し、書類３の背景色に最も近いエリアを背景エリアとして特定することができる。図９（ｃ）に、この様に特定した背景エリアであるエリア３１０ｂを示す。
【００６４】
図１０（ａ）は、第１の画像データ１１ａのうち、書類３のエリア３０４ａを示している。上記の方法により、エリア３０４ａにおける背景エリア３１０ｂが特定される。同様に、図１０（ｂ）は、第２の画像データ１２ａのうち、書類３のエリア３０４ｂを示している。上記の方法により、エリア３０４ｂにおける背景エリア３１０ｂが特定される。
【００６５】
接合手段２４は、上記の方法で背景エリア３１０ｂを特定すると、背景部分を境界エリアとして、第１の画像データ１１ａおよび第２の画像データ１２ａを結合することができる。具体的には、接合手段２４は、第１の画像データ１１ａのうち、第１の撮影エリア３０４ａから背景エリア３１０ｂより左側の部分を抽出する。さらに接合手段２４は、第２の画像データ１２ａのうち、第２の撮影エリア３０４ｂから背景エリア３１０ｂ０より右側の部分を抽出する。さらに接合手段２４は、抽出したこれらの画像データと、背景エリアの画像データとを接合することにより、図１１に示すように、書類３の全面を含む画像データを取得することができる。
【００６６】
図１１に示す部分３０５のうち左側は、第１の撮影部１２１によって撮影された第１の撮影エリア３０１ａに対応する。右側は、第２の撮影部１２２によって撮影された第２の撮影エリア３０１ｂに対応する。この重複エリアのうち、行間に相当する部分が、背景エリア３１０ｂである。接合手段２４は、この背景エリア３１０ｂを境に、第１の画像データ１１ａおよび第２の画像データ１２ｂを接合して、接合データ１４ａを生成する。
【００６７】
データ送信手段２５は、接合データ１４ａを読み出して、接合データ１４ａ中に含まれる書類以外の部分をトリミングして、書類３の部分のみを表した対象データ１５ａを生成する。具体的にはデータ送信手段２５は、接合データ１４ａにおいて、書類３の背景色で囲まれるエリアを特定し、書類３の縁を検出する。さらにデータ送信手段２５は、この書類の縁で囲まれたエリア以外の画像データを破棄する。これにより、撮影時に映り込んだキーボード１０４ａの一部、接合確認マーカ３００部分、書類配置ガイド３０２部分を除き、書類３部分のみを含む対象データ１５ａを取得することができる。
【００６８】
データ送信手段２５は、対象データ１５ａを通信制御装置１０６および通信ネットワークを介して、情報格納装置２に送信する。情報格納装置２においては、受信した対象データ１５ａにおいて、文字の可読性など、エビデンスデータとして求められる条件を満たしているか否かを判定し、その結果を情報処理装置１に送信する。
【００６９】
結果表示手段２６は、情報格納装置２から、検証結果を受信して、表示部１０５に表示する。例えば、対象データ１５ａがエビデンスデータとして格納できる場合、結果表示手段２６は、その旨を表示して処理を終了する。一方、対象データ１５ａの中の文字を読み取ることができなかった場合、結果表示手段２６は、その旨を表示して、ユーザに再度書類３の撮影をするよう指示する画面を表示する。
【００７０】
図１２を参照して、本発明の実施の形態に係る情報処理装置１の処理を説明する。
【００７１】
まず、ユーザは、キーボード１０４ａ上に書類３を設置し、本発明の実施の形態に係る情報処理を開始する指示を、マウス１０４ｂ等を操作して中央処理制御装置１０１に入力する。その後、ステップＳ１０１において情報処理装置１は、第１の撮影部１２１および第２の撮影部１２２によって映し出されている画像を取得し、表示部１０５に表示する。さらにステップＳ１０２においてユーザは、この表示部１０５の表示状態を確認して、書類の配置位置や撮影部などを調整する。このとき、情報処理装置１は、上述した補正手段２３および接合手段２４により、補正および接合された画像であって、１画面に１つの書類を、表示部１０５に表示することが好ましい。
【００７２】
書類の配置位置や撮影部などの調整が完了すると、ステップＳ１０３においてユーザは画像を撮影するための指示を、マウス１０４ｂ等を操作して中央処理制御装置１０１に入力する。ユーザから撮影開始の指示が入力されると、第１の取得手段２１および第２の取得手段２２が画像データを取得して、記憶装置１０７に記憶する。
【００７３】
さらに補正手段２３は、ステップＳ１０４において台形補正をするとともに、ステップＳ１０５において色調補正をする。ステップＳ１０６において接合手段２４は、画像データを接合し、ステップＳ１０７においてデータ送信手段２５は、対象データ１５ａを情報格納装置２に送信する。
【００７４】
ステップＳ１０８において情報処理装置１は、情報格納装置２から結果の受信を待機する。結果を受信すると、ステップＳ１０９において結果表示手段２６が、その結果を表示部１０５に表示する。
【００７５】
（情報格納装置）
本発明の実施の形態に係る情報格納装置２は、図２に示すように、中央処理制御装置２０１、通信制御装置２０６および記憶装置２０７等の一般的なコンピュータ装置である。情報格納装置２は、コンピュータに所定の処理を実現するプログラムがインストールされることにより実現される。
【００７６】
記憶装置２０７は、対象データ一時記憶部２１１、判定結果記憶部２１２および対象データ記憶部２１３を備える。
【００７７】
対象データ一時記憶部２１１は、情報処理装置１から送信された対象データ２１１ａが一時的に記憶された記憶領域である。対象データ２１１ａは、判定手段２２２による判定処理の際に参照され、エビデンスデータとしての条件を満たしている場合は、対象データ格納部２１３に格納される。
【００７８】
判定結果記憶部２１２は、判定手段２２２による判定結果が記憶された記憶領域である。
【００７９】
対象データ格納部２１３は、エビデンスデータとしての条件を満たした対象データ２１１ａが記憶された記憶領域である。対象データ２１１ａがエビデンスデータとしての条件を満たしている場合、対象データ格納部２１３において、対象データ２１１ａは、撮影対象となった書類３のデータとともに記憶される。
【００８０】
データ受信手段２２１は、情報処理装置１から通信制御装置２０６を介して受信した対象データ２１１ａを対象データ一時記憶部２１１に記憶する。
【００８１】
判定手段２２２は、対象データ２１１ａが、情報格納装置２内に格納するための条件を満たしているか否かを判定する手段である。情報格納装置２が、保険契約のエビデンスとして申込書の画像データを保管する場合、その用途に応じたエビデンスに必要な条件を満たしているか否かを判定する手段である。
【００８２】
判定手段２２２は、例えば、文字認識手段２２３、書類判定手段２２４、可読性判定手段２２５および捺印判定手段２２６を備える。
【００８３】
文字認識手段２２３は、対象データ２１１ａから文字画像を抽出し、コンピュータが読み取り可能な文字コードに変換する手段である。文字コードに変換できない場合、文字認識手段２２３は、エラーを出力する。
【００８４】
書類判定手段２２４は、対象データ２１１ａによって撮影された書類の種別を判定し、エビデンスデータとして求められる書類種別であるか否かを判定する。例えば書類の一部に書類種別を示すバーコード等が表示され、予め記憶された、エビデンスとして求める書類種別と照合して、合致するか否かを判定する。合致しない場合、具体的には、エビデンスとして求めない書類種別である場合、書類判定手段２２４は、エラーを出力する。
【００８５】
可読性判定手段２２５は、文字認識手段２２３によって、エビデンスデータとして対応可能な程度に変換されているかを判定する手段である。例えば、文字認識手段２２３によって文字コードに変換されたとしても、意味不明な文字列である場合、誤変換が多い場合、エビデンスデータとして求められる文字列に変換されていない場合など、可読性判定手段２２５は、可読できないとしてエラーを出力する。
【００８６】
捺印判定手段２２６は、捺印が必要な書類の場合、対象データ２１１ａを参照して捺印されているか否かを判定する。捺印されていない場合、捺印判定手段２２６は、エラーを出力する。
【００８７】
判定手段２２２は、文字認識手段２２３、書類判定手段２２４、可読性判定手段２２５および捺印判定手段２２６等の各手段による判定結果に基づいて、対象データ２１１ａを格納するか否かを決定し、その結果を判定結果記憶部２１２に記憶する。判定手段２２２は、予めエビデンスデータとしての条件を格納した条件データを備えており、条件データを参照して、対象データ２１１ａをエビデンスデータとして格納するか否かを判断しても良い。条件データは、例えば、文字認識率、書類種別、可読の判定基準、捺印位置および印鑑種別などが考えられる。
【００８８】
結果送信手段２２７は、判定結果記憶部２１２に記憶された判定結果を、通信制御装置２０６を介して情報処理装置１に送信する。
【００８９】
格納手段２２８は、対象データ２１１ａがエビデンスに必要な条件を満たしている場合、対象データ２１１ａと、撮影対象となった書類３のデータと、を対応づけて、対象データ格納部２１３に記憶する。
【００９０】
図１４を参照して、本発明の実施の形態に係る情報格納装置２の処理を説明する。まずステップＳ２０１において、情報格納装置２は、情報処理装置１から対象データを受信して、対象データ一時記憶部２１１に記憶する。
【００９１】
さらにステップＳ２０２およびステップＳ２０３において、情報格納装置２は、対象データ２１１がエビデンスデータとしての条件を満たしているか否かを判定する。例えば、ステップＳ２０２において情報格納装置２は、対象データに含まれる文字を認識できるか否かを判定する。さらにステップＳ２０３において情報格納装置２は、対象データ中の文字を読み取れるか、また、その書類種別を判定する。
【００９２】
ステップＳ２０２ないしステップＳ２０３の判定結果に基づいて、ステップＳ２０４において情報格納装置２は、対象データがエビデンスデータとしての条件を満たしているか否かの結果を、情報処理装置１に送信する。さらに情報格納装置２はステップＳ２０５において、ステップＳ２０２およびステップＳ２０３の判定において、対象データがエビデンスデータとしての条件を満たしている場合、ステップＳ２０６において、ステップＳ２０１で受信した対象データを、エビデンスデータとして保存して、処理を終了する。一方、対象データがエビデンスデータとしての条件を満たしていない場合、そのまま処理を終了する。
【００９３】
このように、本発明の実施の形態に係る情報処理装置１は、複数の撮影部を備えており、それぞれの撮影部が、書類３を撮影する。このとき、情報処理装置１は、書類３の少なくとも一部が重複するように撮影された画像データを取得し、この画像データを接合して書類３の画像データを取得することができる。これにより、１台のカメラで撮影する場合、書類３の全体を撮影できなかったり、撮影できたとしても文字を認識できないなどエビデンスデータとしての条件を満たさない場合があったが、本発明の実施の形態に係る情報処理装置１によれば、複数の画像データを接合して書類３の画像データを取得することができる。
【００９４】
特に、情報処理装置１の筐体に示された接合確認マーカ３００を含めて画像データを取得する。これにより、複数の画像データの接合位置を容易に検出することができる。
【００９５】
また、第１の撮影部１２１および第２の撮影部１２２を、情報処理装置１に内蔵された撮影部、または情報処理装置１に固定可能な撮影部とする。これにより、手持ちのカメラによる手振れの発生を回避し、エビデンスデータとしての画質を安定して保持することができる。
【００９６】
さらに、第１の撮影部１２１および第２の撮影部１２２を、情報処理装置１に固定されたものあるいは固定可能とする。書類３の撮影データが歪んだ画像となった場合でも、台形補正をすることにより、画質を向上させることができる。また、複数の撮影部で撮影することにより色調が異なる場合でも、色調を調整することにより、画質を向上させることができる。
【００９７】
さらに、情報処理装置１は、取得した画像データを情報格納装置２に送信して、エビデンスデータとしての画質を保持しているか否かを判定させ、その結果を受信することができる。これにより、従来は客先で申込書を記入させた後、オフィスでエビデンスデータを取得していたところ、客先で一連の作業を終了させることができ、１件あたりの処理時間を短縮することができる。また、従来は、オフィスでの確認作業後に契約が完了した旨の帳票を作成し、顧客に郵送などしていたところ、顧客にその場で契約が完了したことを通知することができる。従って、物流コストやこれに伴う事務コストを削減することができる。また、申し込み後すぐに契約状況を確認できるので、顧客に安心感を与えることができる。
【００９８】
このように、本発明の実施の形態に係る情報処理装置１によれば、営業担当者の訪問業務の価値を大きく高めることができる。
【００９９】
（第１の変形例）
図１ないし図３に示した例では、第１の撮影部１２１が情報処理装置１に固定されている場合を説明したが、図１５に示す第１の変形例に係る第１の撮影部１２１ａは、情報処理装置１に固定されているものの、その角度を変更させることができる。
【０１００】
図１５に示す例では、第１の撮影部１２１ａは、上下に回転させることができるので、図３に示すような位置で書類を設置した場合、ヒンジ部１５１に近いエリアの画像も容易に撮影することができる。
【０１０１】
また、第１の撮影部１２１ａは、左右に角度を変更可能に設置されても良い。この場合、図３に示す例の場合、キーボード部１０４ａの横幅に比べて長い書類であっても、全ての書類を撮影することができる。さらに、上下左右の任意の角度に変更させることができるように、第１の撮影部１２１ａが設置されても良い。
【０１０２】
なお、第２の撮影部１２２ａも、第１の撮影部１２１ａと同様に、角度を変更可能に設置されても良い。
【０１０３】
（第２の変形例）
図１６に示す第２の変形例に係る第１の撮影部１２１ｂは、第１の撮影部１２１ｂの上辺に第１のミラー１２３ａを備えている。第２の変形例においては、第１の撮影部１２１ｂは、書類３を直接撮影するのではなく、第１のミラー１２３ａに反射した書類を撮影する。第１のミラー１２３ａの角度を変更可能に設置することで、第１の撮影部１２１ｂは、より広い範囲を撮影することができる。
【０１０４】
なお、第２の撮影部１２２ｂも、第１の撮影部１２１ｂと同様に、その上辺に第２のミラー１２３ｂを備え、第２のミラー１２３ｂに反射した書類を撮影しても良い。
【０１０５】
（第３の変形例）
図１７に示す第３の変形例に係る第１の撮影部１２１ｃは、縦方向に設置されている。
【０１０６】
図１ないし図３を参照して説明した本発明の実施の形態に係る第１の撮影部１２１ａは、ヒンジ部１５１と平行な方向に、長辺が設置されているが、第３の変形例に係る第１の撮影部１２１ｂは、ヒンジ部１５１と垂直の方向に長辺が設置されている。このような第３の変形例によれば、書類３の縦横比によっては、第３の変形例に係る第１の撮影部１２１ｃは、より品質の良い画像データを取得することができる。
【０１０７】
なお、第２の撮影部１２２ｃも、第１の撮影部１２１ｃと同様に、縦方向に設置されても良い。また、本発明の実施の形態および第３の実施の形態においては、第１の撮影部１２１および第２の撮影部１２２が長方形の場合について説明したが、正方形、丸など、任意の形状であっても良い。
【０１０８】
（第４の変形例）
図１８に示す第４の変形例に係る情報処理装置１ｄは、図１ないし図３に示した本発明の実施の形態に係る情報処理装置１と比べて、第１の撮影部１２１ｄおよび第２の撮影部１２２ｄの設置された位置が異なる。変形例に係る情報処理装置１ｄの第１の撮影部１２１ｄおよび第２の撮影部１２２ｄは、情報処理装置１の表示部１０５の裏側であって、情報処理装置１を閉じた場合の外側に設置される。
【０１０９】
この場合、書類３は、キーボード１０４ａの上ではなく、例えば、情報処理装置１ｄを設置したデスクの上の、第１の撮影部１２１ｄおよび第２の撮影部１２２ｄから撮影可能な場所に設置される。本発明の実施の形態において、図１２のステップＳ１０１等を参酌して説明した通り、情報処理装置１ｄは、第１の撮影部１２１ｄおよび第２の撮影部１２２ｄによって映し出されている画像を取得し、表示部１０５に表示する。これにより、ユーザは、表示部１０５で撮影部による撮影状況を確認しながら、書類３の配置位置を決定することができる。
【０１１０】
（第５の変形例）
本発明の実施の形態ならびに第１ないし第４の変形例においては、情報処理装置が複数の撮影部を有している場合について説明したが、本発明の第５の変形例においては、情報処理装置１ｅが、１つの撮影部１２１ｅを有している。
【０１１１】
第５の変形例において、撮影部１２１ｅは、書類３を異なった角度で撮影できるように、角度を調節可能に設置されている。例えば、図１９および図２０に示すように、撮影部１２１ｅが左側に回転されると、撮影部１２１ｅは、第１の撮影エリア３０１ａを撮影する。さらに、撮影部１２１ｅが右側に回転されると、撮影部１２１ｅは、第２の撮影エリア３０１ａを撮影する。撮影部１２１ｅは、手動で回転されても良いし、装置による制御で回転されても良い。
【０１１２】
図２１を参照して、本発明の第５の実施の形態に係る情報処理装置１ｅを説明する。図２１に示す情報処理装置１ｅは、図５を参照して説明した情報処理装置１と比べて、撮影部が１つであることおよび画像データ変換部１２３ｅの処理が異なる。撮影部１２１ｅは、書類３をある方向から撮影し、画像データ変換部１２３ｅは、その撮影されたデータを第１の画像データに変換して、第１の取得手段２１に入力する。さらに撮影部１２１ｅは、書類３を異なる方向から撮影し、画像データ変換部１２３ｅは、その撮影されたデータを第２の画像データに変換して、第２の取得手段２１に入力する。その他の処理は、図１で説明したものと同様である。
【０１１３】
このような第５の変形例に係る情報処理装置１ｅによれば、搭載する撮影部の数を削減しても、本発明の実施の形態等で説明した複数の撮影部を設ける場合と同様の効果を得ることができる。搭載する撮影部の数を１つに限定することにより、撮影時間に約２倍を要する一方、撮影部材のコストや重さなどを低減させることができる。
【０１１４】
（第６の変形例）
第６の変形例に係る情報処理装置１ｆは、第５の変形例と同様に１つの撮影部１２１ｆのみ備える。また、第４の変形例と同様に情報処理装置１ｆの表示部の裏側に撮影部１２１ｆが設置される。
【０１１５】
第６の変形例においても、第４の変形例と同様に、１つの撮影部１２１ｆが回転することにより、書類３を複数の方向から撮影する。
【０１１６】
（その他の実施の形態）
上記のように、本発明の実施の形態とその変形例１ないし６によって記載したが、この開示の一部をなす論述および図面はこの発明を限定するものであると理解すべきではない。この開示から当業者には様々な代替実施の形態、実施例および運用技術が明らかとなる。
【０１１７】
例えば、本発明の実施の形態に記載した情報処理装置および情報格納装置は、図５および図１３に示すようにそれぞれ１つのハードウェア上に構成されても良いし、その機能や処理数に応じて複数のハードウェア上に構成されても良い。また、情報処理装置および情報格納装置の各機能が、一つのハードウェア上に構成されても良い。また、情報システム上に実現されても良い。
【０１１８】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【０１１９】
１  情報処理装置
２  情報格納装置
３  書類
１１  第１の画像データ記憶部
１２  第２の画像データ記憶部
１３  補正レベルデータ記憶部
１４  接合データ記憶部
１５  対象データ記憶部
２１、２２  取得手段
２３  補正手段
２４  接合手段
２５  データ送信手段
２６  結果表示手段
１０１、２０１  中央処理制御装置
１０２  ＲＯＭ
１０３  ＲＡＭ
１０４  入力装置
１０５  表示部
１０６、２０６  通信制御装置
１０７、２０７  記憶装置
１０８  リムーバブルディスク
１０９  入出力インタフェース
１１０  バス
１２１、１２２  撮影部
１２３  画像データ変換部
２１１  対象データ一時記憶部
２１２  判定結果記憶部
２１３  対象データ格納部
２２１  データ受信手段
２２２  判定手段
２２３  文字認識手段
２２４  書類判定手段
２２５  可読性判定手段
２２６  捺印判定手段
２２７  結果送信手段
２２８  格納手段
３００  接合確認マーカ
３０２  書類配置ガイド
【図１】
2011151681.tif 000003
【図２】
2011151681.tif 000004
【図３】
2011151681.tif 000005
【図４】
2011151681.tif 000006
【図５】
2011151681.tif 000007
【図６】
2011151681.tif 000008
【図７】
2011151681.tif 000009
【図８】
2011151681.tif 000010
【図９】
2011151681.tif 000011
【図１０】
2011151681.tif 000012
【図１１】
2011151681.tif 000013
【図１２】
2011151681.tif 000014
【図１３】
2011151681.tif 000015
【図１４】
2011151681.tif 000016
【図１５】
2011151681.tif 000017
【図１６】
2011151681.tif 000018
【図１７】
2011151681.tif 000019
【図１８】
2011151681.tif 000020
【図１９】
2011151681.tif 000021
【図２０】
2011151681.tif 000022
【図２１】
2011151681.tif 000023
【図２２】
2011151681.tif 000024